(57)【要約】【課題】蓋部を開けるときの抵抗を低減することのできる収納箱を提供する。【解決手段】収納箱は、本体部と蓋部と接続部とを備える。本体部は、本体部の底部を構成する底壁部と、底壁部に対して立設した矩形筒状の周壁部とを備える。蓋部は、周壁部の開口端が囲む開口に対して開閉可能に構成され、蓋部が閉じられているときに上記開口を覆う上壁部を備える。接続部は、周壁部の開口端の一辺と上壁部の端部との間に位置して周壁部および上壁部に繋がる。接続部５０は罫線部５２を含み、罫線部５２は、当該罫線部５２が延びる方向に沿ってミシン目が形成された部分を有する。【選択図】図４
2018027808.tif 000002
【特許請求の範囲】
【請求項１】
収納対象を収納するための空間を区画する本体部であって、当該本体部の底部を構成する底壁部と、前記底壁部に対して立設して前記空間を囲む矩形筒状の周壁部とを備え、前記周壁部における前記底壁部とは反対側が矩形状の開口端である前記本体部と、
前記開口端が囲む開口に対して開閉可能に構成された蓋部であって、当該蓋部が閉じられているときに前記開口を覆う上壁部を備える前記蓋部と、
前記周壁部の前記開口端の一辺と前記上壁部の端部との間に位置して前記周壁部および前記上壁部に繋がる接続部と、を備え、
前記本体部と前記蓋部と前記接続部とが一体である紙製の収納箱であって、
前記接続部は罫線部を含み、前記罫線部は、当該罫線部が延びる方向に沿ってミシン目が形成された部分を有する
収納箱。
【請求項２】
前記罫線部は、前記収納箱の内側に向かって盛り上がっている
請求項１に記載の収納箱。
【請求項３】
前記ミシン目は、前記罫線部が延びる方向における前記罫線部の一部に形成されている
請求項１または２に記載の収納箱。
【請求項４】
前記一部は、前記罫線部が延びる方向における前記罫線部の中央部である
請求項３に記載の収納箱。
【請求項５】
前記接続部は、前記接続部が延びる方向に沿って帯状に延びる帯状部を少なくとも１つ含み、
前記帯状部は、前記蓋部が閉じられているとき、前記接続部に繋がる前記周壁部および前記上壁部の各々に対して傾斜し、
前記罫線部は、前記帯状部を囲む部分を含む
請求項１〜４のいずれか一項に記載の収納箱。
【請求項６】
前記収納箱は、前記収納対象としてラップフィルムを収納するための収納箱である
請求項１〜５のいずれか一項に記載の収納箱。
【発明の詳細な説明】
【技術分野】
【０００１】
本発明は、本体部と蓋部とが一体である紙製の収納箱に関する。
【背景技術】
【０００２】
食品等の包装に用いられるラップフィルムを収納するための収納箱は、本体部と蓋部とを備えており、本体部と蓋部とは、１枚の厚紙の折り曲げによって形成されている。本体部は、上部が矩形状に開口した箱型を有し、蓋部は、本体部の開口に対して開閉可能に構成されている。蓋部は、本体部の上端の一辺と繋がっており、蓋部と本体部との境界部分が折り曲げられることによって、蓋部は閉じられる。本体部内に収納されたラップフィルムの端部を収納箱から引き出す際などには、まず、蓋部と本体部との境界部分に形成されている折り目が伸ばされ、さらに、蓋部が閉じられているときとは反対側に上記折り目が折り曲げられ、それによって、蓋部が開けられる（例えば、特許文献１参照）。
【先行技術文献】
【特許文献】
【０００３】
【特許文献１】特開２０１２−１０１８４３号公報
【発明の概要】
【発明が解決しようとする課題】
【０００４】
上記収納箱は、通常、蓋部が閉じられた状態で保管される。そして、閉じられた状態から蓋部を開けるときには、蓋部と本体部との境界部分に付けられた折り癖を戻すように、収納箱の内側面にて厚紙の繊維を伸ばし、収納箱の外側面にて厚紙の繊維を縮める必要がある。しかしながら、収納箱の構成材料である厚紙は伸びの小さい材料であるため、収納箱の内側面において、蓋部と本体部との境界部分を伸ばすために必要な力が大きくなりやすい。結果として、蓋部を開けるときの抵抗が大きく、蓋部を開けにくいという問題が生じている。
【０００５】
本発明は、蓋部を開けるときの抵抗を低減することのできる収納箱を提供することを目的とする。
【課題を解決するための手段】
【０００６】
上記課題を解決するための収納箱は、収納対象を収納するための空間を区画する本体部であって、当該本体部の底部を構成する底壁部と、前記底壁部に対して立設して前記空間を囲む矩形筒状の周壁部とを備え、前記周壁部における前記底壁部とは反対側が矩形状の開口端である前記本体部と、前記開口端が囲む開口に対して開閉可能に構成された蓋部であって、当該蓋部が閉じられているときに前記開口を覆う上壁部を備える前記蓋部と、前記周壁部の前記開口端の一辺と前記上壁部の端部との間に位置して前記周壁部および前記上壁部に繋がる接続部と、を備え、前記本体部と前記蓋部と前記接続部とが一体である紙製の収納箱であって、前記接続部は罫線部を含み、前記罫線部は、当該罫線部が延びる方向に沿ってミシン目が形成された部分を有する。
【０００７】
上記構成によれば、罫線部が、ミシン目が形成された部分を有するため、罫線部が、ミシン目が形成された部分を有さない場合と比較して、罫線部の剛性が低下し、罫線部は変形しやすくなる。すなわち、罫線部の変形に際して罫線部の伸びを抑える方向に罫線部内で紙の繊維を引っ張る力が弱くなるため、折り曲げられている罫線部を延ばし、さらには、罫線部を蓋部が閉じられているときとは反対側に折り曲げて、蓋部を開けることが容易になる。このように、上記構成によれば、蓋部を開けるときの抵抗を低減することができる。
【０００８】
上記構成において、前記罫線部は、前記収納箱の内側に向かって盛り上がっていてもよい。
上記構成によれば、罫線部が収納箱の内側に向かって盛り上がっていない場合と比較して、収納箱の内側面にて罫線部の表面積を大きく確保できる。その結果、蓋部が閉じられたとき、すなわち、罫線部が内側に折り曲げられたときに、罫線部を構成する紙の繊維が散らばる領域を大きく確保でき、狭い領域に紙の繊維が押し込められることを抑えることができる。したがって、罫線部が内側に折れやすくなるため、蓋部の閉めやすさと開けやすさとの両立が可能である。
【０００９】
上記構成において、前記ミシン目は、前記罫線部が延びる方向における前記罫線部の一部に形成されていてもよい。
上記構成によれば、罫線部が延びる方向の全幅にミシン目が形成されている構成と比較して、罫線部の強度が低下することを抑えることができる。
【００１０】
上記構成において、前記一部は、前記罫線部が延びる方向における前記罫線部の中央部であってもよい。
上記構成によれば、罫線部の端部にミシン目が形成されている場合と比較して、罫線部の端部における強度が低下することを抑えることができる。罫線部の端部には、蓋部の開閉に際して蓋部を回動の軸方向に対して斜めに捻る力がかかりやすいため、罫線部の端部における強度の低下が抑えられることによって、接続部が破断することを的確に抑えることができる。
【００１１】
上記構成において、前記接続部は、前記接続部が延びる方向に沿って帯状に延びる帯状部を少なくとも１つ含み、前記帯状部は、前記蓋部が閉じられているとき、前記接続部に繋がる前記周壁部および前記上壁部の各々に対して傾斜し、前記罫線部は、前記帯状部を囲む部分を含んでいてもよい。
【００１２】
上記構成によれば、接続部が帯状部を有さない構成、すなわち、蓋部が閉じられているときに、接続部を介して周壁部と上壁部とがほぼ直角を形成する構成と比較して、周壁部から上壁部にかけての収納箱の表面における角度の変化が緩やかになる。したがって、上記直角部分が収納箱の使用者の手に当接する場合と比較して、使用者にとって収納箱が掴みやすくなる。
【００１３】
上記構成において、前記収納箱は、前記収納対象としてラップフィルムを収納するための収納箱であってもよい。
上記構成によれば、ラップフィルムを収納するための収納箱において、蓋部を開けるときの抵抗を低減することができる。
【発明の効果】
【００１４】
本発明によれば、収納箱において、蓋部を開けるときの抵抗を低減することができる。
【図面の簡単な説明】
【００１５】
【図１】収納箱の一実施形態について、蓋部が閉じられている状態の収納箱の斜視構造を示す斜視図。
【図２】収納箱の一実施形態について、蓋部が開かれている状態の収納箱の斜視構造を示す斜視図。
【図３】収納箱の一実施形態について、蓋部が閉じられている状態の収納箱の斜視構造を示す斜視図。
【図４】収納箱の一実施形態について、収納箱の内側から見た接続部付近の平面構造を示す平面図。
【図５】収納箱の一実施形態について、接続部の断面構造であって、帯状部と罫線部とを含む部分の断面構造を示す断面図。
【図６】収納箱の一実施形態について、接続部の断面構造であって、罫線部のみを含む部分の断面構造を示す断面図。
【図７】収納箱の一実施形態について、接続部の断面構造であって、帯状部と罫線部とを含む部分の断面構造の他の例を示す断面図。
【図８】実施例および比較例についての、蓋部を開けるために要する力の測定結果を示す図。
【図９】接続部の変形例について、収納箱の内側から見た接続部付近の平面構造を示す平面図。
【発明を実施するための形態】
【００１６】
図１〜図７を参照して、収納箱の一実施形態について説明する。
［収納箱の全体構成］
図１および図２を参照して、収納箱の全体構成について説明する。図１は、蓋部が閉じられている状態の収納箱の斜視構造を示し、図２は、蓋部が開かれている状態の収納箱の斜視構造を示す。図１および図２が示すように、収納箱１０は、本体部２０と蓋部３０と切断刃４０とを備えており、図１に示す蓋部３０が閉じられている状態において、一方向に延びる略直方体形状を有する。収納箱１０における切断刃４０を除く部分は、コートボール紙等の１枚の厚紙の組み立てによって形成される。
【００１７】
本体部２０は、本体部２０の底部を構成する略矩形板状の底壁部２１と、底壁部２１に対して立設する矩形筒状の周壁部２２とを備えている。図２が示すように、周壁部２２における底壁部２１とは反対側に位置する開口端は、平面視において矩形状を有している。なお、以下の説明では、水平面に底壁部２１が当接するように収納箱１０が配置された状態を基準として、底壁部２１に対して周壁部２２の開口端が位置する側を上側、周壁部２２の開口端に対して底壁部２１の位置する側を下側として説明する。
【００１８】
周壁部２２は、前壁部２３、後壁部２４、右壁部２５、および、左壁部２６を備えている。前壁部２３、後壁部２４、右壁部２５、および、左壁部２６は、底壁部２１の外縁に沿って並んでいる。底壁部２１、前壁部２３、および、後壁部２４は、上記水平面に沿った方向である左右方向に延びるほぼ同形の略矩形板状を有し、前壁部２３と後壁部２４とは、上記水平面に沿った方向であって左右方向に直交する方向である前後方向に向かい合っている。右壁部２５と左壁部２６とは、互いにほぼ同形の略矩形板状を有し、左右方向に向かい合っている。
【００１９】
右壁部２５の上端からは、前後方向に延びる帯状の右突起片２７が延びており、右突起片２７は、右壁部２５と右突起片２７との境界部分が折り曲げられることによって本体部２０の外側に向けて突出している。同様に、左壁部２６の上端からは、前後方向に延びる帯状の左突起片２８が延びており、左突起片２８は、左壁部２６と左突起片２８との境界部分が折り曲げられることによって本体部２０の外側に向けて突出している。
【００２０】
前壁部２３および後壁部２４の各々と底壁部２１とは、直線状に延びる罫線部２９を介して隣り合っている。右壁部２５および左壁部２６の各々と底壁部２１との間、さらに、周壁部２２を構成する４つの壁部２３〜２６にて互いに隣り合う２つの壁部の間の各々は、直線状に延びる罫線部２９を介して隣り合っている。罫線部２９は、本体部２０における角部に位置し、収納箱１０を構成する厚紙が罫線部２９にて折り曲げられて適宜の位置で貼り合わされることによって、本体部２０が形成されている。
【００２１】
本体部２０によって区画される空間、すなわち、周壁部２２によって囲まれる空間が、収納箱１０の収納対象を収納するための空間であり、この空間にラップフィルム６０が収納される。ラップフィルム６０は、例えば円筒形状を有する紙製の管に巻き付けられてロール状とされ、ロールの軸方向を左右方向として本体部２０内に収納される。本体部２０を構成する各壁部の大きさは、収納対象のラップフィルム６０のロールの大きさに応じて、このロールを収納可能な大きさの空間を区画できる大きさであればよい。ラップフィルム６０の構成材料としては、例えば、ポリ塩化ビニリデン、ポリエチレン等が挙げられる。
【００２２】
蓋部３０は、周壁部２２における開口端が囲む開口に対して開閉可能に構成されており、上壁部３１、前副壁部３２、右副壁部３３、および、左副壁部３４を備えている。上壁部３１は、底壁部２１とほぼ同形の略矩形板状を有し、図１に示す蓋部３０が閉じられている状態において、上記開口を覆い、底壁部２１と上下方向に向かい合う。上壁部３１は、端部として、蓋部３０が閉じられているときに前壁部２３の側に位置する上壁部前端３１Ｆと後壁部２４の側に位置する上壁部後端３１Ｂとを有している。
【００２３】
蓋部３０が閉じられている状態において、前副壁部３２、右副壁部３３、および、左副壁部３４は、上壁部３１から下側に延び、本体部２０の外側で、周壁部２２の一部と重なる。すなわち、蓋部３０が閉じられている状態において、前副壁部３２は前壁部２３の上側部分と重なり、右副壁部３３は右壁部２５の上側部分と重なり、左副壁部３４は左壁部２６の上側部分と重なる。前副壁部３２は、板状を有し、蓋部３０が閉じられている状態での上下方向の幅が、左右方向の中央部で最も大きくなる形状を有している。すなわち、前副壁部３２において、蓋部３０が閉じられたときに底壁部２１の側に位置する端部が、略Ｖ字状の形状を有している。右副壁部３３と左副壁部３４とは、互いにほぼ同形の略矩形板状を有している。
【００２４】
周壁部２２における開口端の一辺である後壁部２４の上端と上壁部の端部である上壁部後端３１Ｂとの間には、後壁部２４および上壁部３１のそれぞれと繋がる接続部５０が位置している。接続部５０は、本体部２０および蓋部３０とともに収納箱１０を構成し、接続部５０を介して、本体部２０と蓋部３０が繋がっている。すなわち、本体部２０と蓋部３０と接続部５０とは一体である。収納箱１０を構成する厚紙が接続部５０の位置で折り曲げられたり伸ばされたりすることによって、換言すれば、接続部５０の変形によって、蓋部３０が開閉される。これにより、蓋部３０は、左右方向を軸方向として本体部２０に対して回動可能に構成されている。
【００２５】
上壁部３１と前副壁部３２との間、上壁部３１と右副壁部３３および左副壁部３４の各々との間、さらに、前副壁部３２と、右副壁部３３を構成する右裏板部３３ｂおよび左副壁部３４を構成する左裏板部３４ｂの各々との間には、直線状に延びる罫線部３５が位置している。罫線部３５は、蓋部３０における角部に位置し、収納箱１０を構成する厚紙が罫線部３５にて折り曲げられて適宜の位置で貼り合わされることによって、蓋部３０が形成されている。
【００２６】
例えば、図２が示すように、上壁部３１から罫線部３５を介して延びる右表板部３３ａと、前副壁部３２から罫線部３５を介して延びる右裏板部３３ｂとが重ね合わされて右副壁部３３を構成している。右裏板部３３ｂは、右表板部３３ａよりも蓋部３０の内側で、右表板部３３ａに貼り付けられている。右裏板部３３ｂが右表板部３３ａに貼り付けられていることで、蓋部３０の内側において、右裏板部３３ｂと罫線部３５との間には段差部３３Ｓが形成されている。
【００２７】
同様に、上壁部３１から罫線部３５を介して延びる左表板部３４ａと、前副壁部３２から罫線部３５を介して延びる左裏板部３４ｂとが重ね合わされて左副壁部３４を構成している。左裏板部３４ｂは、左表板部３４ａよりも蓋部３０の内側で、左表板部３４ａに貼り付けられている。左裏板部３４ｂが左表板部３４ａに貼り付けられていることで、蓋部３０の内側において、左裏板部３４ｂと罫線部３５との間には段差部３４Ｓが形成されている。
【００２８】
蓋部３０が閉じられたときには、右壁部２５から延びる右突起片２７が段差部３３Ｓに入って右裏板部３３ｂに引っ掛かり、左壁部２６から延びる左突起片２８が段差部３４Ｓに入って左裏板部３４ｂに引っ掛かる。これにより、蓋部３０が浮き上がることや、意図しないときに蓋部３０が開くことが抑えられる。
【００２９】
切断刃４０は、鋸刃状に並ぶ複数の刃先を有する板状の刃であって、平面視にて、前副壁部３２における底壁部２１に向かって湾曲する端部である下端に沿った形状、すなわち、略Ｖ字状の形状を有している。切断刃４０は、前副壁部３２において、蓋部３０が閉じられているときに前壁部２３と対向する面の端部に取り付けられており、複数の刃先が前副壁部３２の下端から突出している。前副壁部３２への切断刃４０の取り付けは、例えば、前副壁部３２と切断刃４０との間にシーラント材や接着層を配して、超音波接着によって行われる。切断刃４０の構成材料は特に限定されず、切断刃４０は、例えば、樹脂製であってもよいし、金属製であってもよい。
【００３０】
なお、切断刃４０の刃先は、ラップフィルム６０の使用時に前副壁部３２から露出していればよく、ラップフィルム６０を収納した収納箱１０の保管時や運搬時には、他の部材によって覆われていてもよい。
【００３１】
以上のように構成される収納箱１０に収納されたラップフィルム６０を使用するとき、使用者は、例えば、一方の手でラップフィルム６０を前壁部２３と前副壁部３２との間から引き出してその先端を把持し、他方の手で蓋部３０を閉じた収納箱１０を握る。そして、使用者は、前副壁部３２の中央部分を親指で押さえて、左右方向を軸方向として収納箱１０を回転させる。これにより、切断刃４０の刃先がラップフィルム６０に刺さり、ラップフィルム６０が切断される。
【００３２】
［接続部の詳細構成］
図３〜図７を参照して、接続部５０の詳細構成について説明する。図３は、蓋部が閉じられている状態の収納箱を、接続部５０の見える位置から見た斜視図である。
【００３３】
図３が示すように、接続部５０は、接続部５０が延びる方向に沿って帯状に延びる板状の帯状部５１と、線状に延びる罫線部５２とを含んでいる。帯状部５１は、平面視にて、蓋部３０の回動の軸方向である左右方向に延びる略長円形状を有している。帯状部５１は、本体部２０と蓋部３０との間に位置し、かつ、左右方向の中央部に位置している。罫線部５２は、帯状部５１を囲み、さらに、帯状部５１における左右方向の両端部の各々から、収納箱１０における左右方向の端部まで延びている。すなわち、接続部５０の縁部には罫線部５２が位置し、本体部２０は、接続部５０の一方側で罫線部５２と繋がっており、蓋部３０は、接続部５０の他方側で罫線部５２と繋がっている。
【００３４】
収納箱１０を構成する厚紙が罫線部５２にて折り曲げられたり伸ばされたりして変形することによって、蓋部３０が開閉される。蓋部３０が閉じられた状態においては、罫線部５２は折り曲げられており、帯状部５１は、後壁部２４と上壁部３１との双方に対して傾斜している。このように、蓋部３０が閉じられているときに折り曲げられている部分が罫線部５２である。
【００３５】
こうした構成では、蓋部３０が閉じられた状態において、収納箱１０は、直方体の角部が帯状部５１の位置で削られた形状を有しており、収納箱１０の表面における後壁部２４から上壁部３１にかけての角度の変化が緩やかになっている。
【００３６】
帯状部５１は、使用者が収納箱１０を握ってラップフィルム６０の引き出しや切断を行う際に、使用者の手に当接する部分に位置する。この使用者の手に当接する部分で収納箱１０の表面における角度の変化が緩やかになっていることにより、使用者にとって収納箱１０が握りやすくなる。
【００３７】
罫線部５２は、罫線部５２が延びる方向に沿ってミシン目が形成された部分である小孔部５３を有している。すなわち、小孔部５３は、罫線部５２を厚さ方向に貫通する複数の孔が線上に並ぶ部分である。
【００３８】
なお、収納箱１０の外側面に、滑り抑制部５４が設けられていてもよい。滑り抑制部５４は、例えば、帯状部５１に重なっている。滑り抑制部５４は、例えば、ＵＶニス等のニスの塗布や樹脂フィルムの貼り付け等によって形成される。滑り抑制部５４によって、使用者が収納箱１０を掴んでいるときに、収納箱１０が使用者の手に対して滑ることが抑えられる。したがって、ラップフィルム６０の切断の際等、収納箱１０を回転させるときにも、使用者は収納箱１０の動きを制御しやすくなり、使用者にとって収納箱１０の取り扱いがより容易になる。さらに、滑り抑制部５４は、小孔部５３と重なっていてもよい。
【００３９】
図４および図５を参照して、小孔部５３の構成についてさらに説明する。図４は、収納箱１０の内側面と対向する方向から見た接続部５０の付近の平面構造を示す図であって、罫線部５２が伸ばされている状態の構造を示す。図５および図６は、罫線部５２が伸ばされている状態での接続部５０の断面構造を示す図であって、図５は帯状部５１を含む部分の断面構造を示し、図６は帯状部５１を含まない部分の断面構造を示す。すなわち、図６は、帯状部５１における左右方向の端部から延びている罫線部５２の断面構造を示している。
【００４０】
図４が示すように、小孔部５３は、罫線部５２において帯状部５１を囲んでいる部分に位置しており、かつ、接続部５０が伸びる方向である左右方向（軸方向）における罫線部５２の中央部に位置している。換言すれば、小孔部５３は、罫線部５２が伸びる方向における罫線部５２の中央部に位置している。左右方向における罫線部５２の中央部とは、左右方向において罫線部５２を二等分する点を含み、かつ、罫線部５２の端部を含まない領域である。
【００４１】
詳細には、左右方向の中央部において、罫線部５２は、帯状部５１を挟む２つの線状に延びている。すなわち、左右方向における罫線部５２の中央部には、罫線部５２を構成する２つの部分が含まれる。この罫線部５２を構成する２つの部分のそれぞれに、小孔部５３が設けられている。
【００４２】
左右方向における小孔部５３の長さＬ１は、左右方向における罫線部５２の長さＬ２の１０％以上５０％以下であることが好ましい。
なお、罫線部５２の幅は一定でなくてもよく、図４に示すように、帯状部５１を囲む部分における罫線部５２の幅Ｗ１が、帯状部５１における左右方向の両端部の各々から、収納箱１０における左右方向の端部に延びる部分における罫線部５２の幅Ｗ２よりも狭くてもよい。
【００４３】
図５が示すように、接続部５０は、収納箱１０の内側に向けて突出している。詳細には、後壁部２４に繋がっている罫線部５２は後壁部２４から収納箱１０の内側に向けて盛り上がっており、かつ、上壁部３１に繋がっている罫線部５２は上壁部３１から収納箱１０の内側に向けて盛り上がっている。そして、後壁部２４から盛り上がっている罫線部５２と上壁部３１から盛り上がっている罫線部５２とを、後壁部２４および上壁部３１から盛り上がった位置で帯状部５１が繋いでいる。帯状部５１と罫線部５２とは連続しているが、上述のように、蓋部３０が閉じられているときに折り曲げられる部分が罫線部５２である。
【００４４】
そして、盛り上がった罫線部５２に、小孔部５３を構成する複数の貫通孔５３ａが形成されている。
なお、蓋部３０が開かれている状態では、罫線部５２は伸びており、蓋部３０が閉じられている状態では、罫線部５２は潰れているが、罫線部５２の変形に関わらず、蓋部３０が開かれている状態と閉じられている状態とのいずれの状態でも、接続部５０における帯状部５１および罫線部５２は、収納箱１０の内側に向けて盛り上がっている。
【００４５】
図６が示すように、帯状部５１における左右方向の両端部の各々から、収納箱１０における左右方向の端部までの間でも、罫線部５２は、収納箱１０の内側に向けて盛り上がっている。詳細には、罫線部５２は、収納箱１０の内側に向けて膨らむように湾曲しており、罫線部５２における幅方向の中央部が収納箱１０の内側に向けて最も突き出している。
【００４６】
なお、上記構成では、接続部５０の全体が収納箱１０の内側に向けて盛り上がっているが、図７が示すように、罫線部５２のみが収納箱１０の内側に向けて盛り上がっていてもよい。図７が示す例では、後壁部２４に繋がっている罫線部５２と、上壁部３１に繋がっている罫線部５２とのいずれもが、収納箱１０の内側に向けて膨らむように湾曲しており、罫線部５２における幅方向の中央部が収納箱１０の内側に向けて最も突き出している。そして、後壁部２４に繋がっている罫線部５２と、上壁部３１に繋がっている罫線部５２とを、帯状部５１が繋いでいる。帯状部５１は、厚紙の厚さ方向において、後壁部２４および上壁部３１のいずれに対しても、収納箱１０の内側に向けて突出していない。
【００４７】
罫線部５２や貫通孔５３ａの形成方法は特に限定されないが、例えば、収納箱１０の製造工程においては、本体部２０と蓋部３０と接続部５０とを形成するための厚紙の外形の打ち抜きと、接続部５０を内側に突出させるための型の厚紙への押圧と、貫通孔５３ａの形成とが、同時に行われる。
【００４８】
貫通孔５３ａを区画する厚紙の端部が収納箱１０の外側面に出っ張ることを抑えるために、貫通孔５３ａは、貫通孔５３ａを形成するための刃が収納箱１０の外側面から罫線部５２に打ち込まれることによって形成されることが好ましい。この場合、図５や図６が示すように、貫通孔５３ａの径は収納箱１０の外側面から内側面に向けて徐々に小さくなる。ただし、貫通孔５３ａの形成方法や貫通孔５３ａの形状は、上述の例に限られない。
【００４９】
なお、本体部２０における罫線部２９や、蓋部３０における罫線部３５は、図６や図７に示した罫線部５２と同様に収納箱１０の内側に湾曲していてもよいし、接続部５０における罫線部５２とは異なる構造であってもよい。
【００５０】
［作用］
本実施形態の収納箱１０の作用について説明する。
蓋部３０の開閉のために変形する罫線部５２が小孔部５３を有するため、罫線部５２が小孔部５３を有さない構成と比較して、罫線部５２の剛性は低下し、罫線部５２は変形しやすくなる。すなわち、罫線部５２の変形に際して罫線部５２の伸びを抑える方向に罫線部５２内で厚紙の繊維を引っ張る力が弱くなるため、折り曲げられている罫線部５２を延ばし、さらには、罫線部５２を収納箱１０の外側に折り曲げて、蓋部３０を開けることが容易になる。
【００５１】
また、貫通孔５３ａの形成によって罫線部５２の剛性を低下させているため、例えば、厚さ方向に罫線部５２の一部を切断することによって罫線部５２の剛性を低下させる構成と比較して、罫線部５２の剛性を低下させるための構成の形成が容易である。
【００５２】
さらに、左右方向における罫線部５２の一部に小孔部５３が位置しているため、罫線部５２の全幅に小孔部５３が設けられている構成と比較して、罫線部５２の強度の低下を抑えることができる。したがって、蓋部３０の開閉に伴う罫線部５２の折り曲げの繰り返しに対する罫線部５２の耐久性が低下することを抑えることができる。
【００５３】
特に、左右方向における罫線部５２の端部付近は、左右方向における収納箱１０の端部付近に位置するため、蓋部３０の開閉に際して蓋部３０を軸方向に対して斜めに捻る力がかかりやすい。本実施形態の収納箱１０においては、左右方向における罫線部５２の中央部に小孔部５３が位置し、罫線部５２の端部付近には小孔部５３が設けられていないため、罫線部５２の端部付近における強度の低下を抑えることができる。したがって、罫線部５２の折り曲げの繰り返しに起因した接続部５０の破断を抑えることができる。
【００５４】
さらに、小孔部５３は、罫線部５２において帯状部５１を囲んでいる部分に位置している。蓋部３０が閉じられたときに罫線部５２にて収納箱１０が形成する角度は、帯状部５１における左右方向の端部から収納箱１０の端部まで延びている部分よりも、帯状部５１を囲んでいる部分にて大きい。すなわち、罫線部５２において、帯状部５１を囲んでいる部分では、帯状部５１における左右方向の端部から収納箱１０の端部まで延びている部分よりも、蓋部３０の開閉に伴う変形の程度が小さい。小孔部５３が、罫線部５２において帯状部５１を囲んでいる部分に設けられている構成であれば、罫線部５２の折り曲げの繰り返しに起因した小孔部５３での厚紙の繊維の劣化を好適に抑えることが可能であり、罫線部５２の耐久性を高めることができる。
【００５５】
また、罫線部５２が収納箱１０の内側に向かって盛り上がっているため、罫線部５２が収納箱１０の内側に向かって盛り上がっていない構成と比較して、収納箱１０の内側面にて罫線部５２の表面積を大きく確保できる。その結果、蓋部３０が閉じられたとき、すなわち、罫線部５２が内側に折り曲げられたときに、罫線部５２を構成する厚紙の繊維が散らばる領域を大きく確保可能であり、例えば、後壁部２４と上壁部３１とに挟まれた狭い領域に繊維が押し込められることを抑えることができる。したがって、罫線部５２が内側に折れやすくなる。さらに、罫線部５２が小孔部５３を有することによっても、罫線部５２は内側に折れやすくなる。そのため、蓋部３０が閉まりやすくなる。すなわち、本実施形態の収納箱１０では、蓋部３０の開けやすさと閉めやすさとの双方を向上させることができる。また、罫線部５２が内側に折れやすくなる結果、蓋部３０が閉じられたときに、後壁部２４と上壁部３１との間での帯状部５１の角度が適正な角度になるように帯状部５１が配置されやすい。
【００５６】
［実施例］
上述した収納箱について、具体的な実施例および比較例を用いて説明する。
＜実施例＞
コートボール紙を用いて、上記実施形態に記載の収納箱と同様の形状であって、蓋部と本体部とを繋ぐ接続部における罫線部の一部にミシン目が形成された実施例の収納箱を作製した。実施例の収納箱における左右方向の全長は３２０ｍｍであり、帯状部における左右方向の全長は１６０ｍｍである。ミシン目は、左右方向における罫線部の中央部にて帯状部を挟む２箇所の領域と、帯状部における左右方向の両端部の各々から収納箱における左右方向の端部に向けて延びる領域とに形成した。すなわち、ミシン目の形成された部分である小孔部は４箇所に設けられており、各小孔部の長さは、４０ｍｍである。
【００５７】
＜比較例１＞
コートボール紙を用いて、罫線部にミシン目を形成せずに、実施例と同形状の比較例１の収納箱を作製した。すなわち、比較例１の収納箱は、小孔部を有していない。
【００５８】
＜比較例２＞
コートボール紙を用いて、罫線部にミシン目を形成せずに、実施例に対して帯状部の長さを変更した比較例２の収納箱を作製した。比較例２の収納箱における左右方向の全長は３２０ｍｍであり、帯状部における左右方向の全長は１２０ｍｍである。比較例２の収納箱は、小孔部を有していない。
【００５９】
＜評価＞
実施例および各比較例の収納箱を用いて、下記の試験を行うことにより、蓋部を開けるときの抵抗の大きさを評価した。
【００６０】
（１）収納箱における前副壁部の内側面の端部に、帯状のセロハンの端部の一方を貼り付ける。
（２）エー・アンド・デイ社製テンシロン万能材料試験機（ＲＴＧ−１２１０）によって帯状のセロハンの端部の他方が引き上げられるように、上記試験機に収納箱とセロハンとをセットする。
【００６１】
（３）蓋部が閉まった状態、すなわち、上壁部と後壁部とのなす角度が９０度である状態から、蓋部が開いた状態、すなわち、上壁部と後壁部とのなす角度が１８０度である状態になるまで、上記試験機によって、帯状のセロハンの端部を引っ張り、引っ張りに要した力を計測する。試験時の条件は、試験環境２２℃、４４％ＲＨ、試験速度１００ｍｍ／ｍｉｎである。
【００６２】
図８に、測定結果を示す。図８において、横軸は、上記試験機に引っ張られることによってセロハンが長さ方向に移動した長さ（変位）を示し、縦軸は、セロハンに対して加えられた引っ張り力の大きさを示す。変位が３５．３ｍｍ付近である領域に出現しているピークは、蓋部が本体部に対して浮き上がる点である。
【００６３】
図８が示すように、実施例および各比較例のいずれについても、蓋部が本体部に対して浮き上がってから、緩やかに力が加えられて蓋部が開かれていく。そして、小孔部を有する実施例の収納箱は、小孔部を有さない比較例１，２の収納箱と比較して、蓋部が本体部に対して浮き上がってからの区間において、蓋部を開けるために要する力が小さい。すなわち、ミシン目の付与により、実施例では、比較例と比較して、蓋部を開けるときの抵抗が低減されていることが示された。なお、帯状部の長さが異なる比較例１と比較例２とでは、蓋部を開けるために要する力はほぼ同程度である。したがって、帯状部の長さは蓋部を開けるときの抵抗の大きさに大きな影響を与えておらず、帯状部の長さに関わらず、罫線部へのミシン目の付与によって、蓋部を開けるときの抵抗の低減が可能であることが示唆される。
【００６４】
以上説明したように、上記実施形態の収納箱によれば、以下に示す効果を得ることができる。
（１）本体部２０と蓋部３０との間の罫線部５２が小孔部５３を有するため、罫線部５２の変形に際して罫線部５２の伸びを抑える方向に罫線部５２内で厚紙の繊維を引っ張る力が弱くなる。それゆえ、蓋部３０を開けるときの抵抗を低減することが可能である。
【００６５】
（２）罫線部５２が収納箱１０の内側に向かって盛り上がっているため、収納箱１０の内側面にて罫線部５２の表面積を大きく確保できる。そのため、蓋部３０が閉じられたときに、罫線部５２を構成する厚紙の繊維が散らばる領域を大きく確保できる。それゆえ、罫線部５２が内側に折れやすくなるため、蓋部３０の閉めやすさと開けやすさとの両立が可能である。
【００６６】
（３）小孔部５３が、罫線部５２が延びる方向における罫線部５２の一部に位置しているため、罫線部５２が延びる方向の全幅に小孔部５３が設けられている構成と比較して、罫線部５２の強度が低下することを抑えることができる。特に、小孔部５３の位置する部分が、罫線部５２が延びる方向における罫線部５２の中央部であるため、蓋部３０の開閉に際して蓋部３０を軸方向に対して斜めに捻る力がかかりやすい罫線部５２の端部付近において、強度の低下を抑えることができる。
【００６７】
（４）接続部５０が、蓋部３０が閉じられているときに後壁部２４および上壁部３１の各々に対して傾斜する帯状部５１を含んでいるため、接続部５０が帯状部５１を有さない構成、すなわち、接続部５０を介して後壁部２４と上壁部３１とがほぼ直角を形成する構成と比較して、後壁部２４から上壁部３１にかけての収納箱１０の表面における角度の変化が緩やかになる。したがって、上記直角部分が収納箱１０の使用者の手に当接する場合と比較して、使用者にとって収納箱１０が掴みやすくなる。
【００６８】
また、罫線部５２において、帯状部５１を囲んでいる部分では、帯状部５１における左右方向の端部から収納箱１０の端部まで延びている部分よりも、蓋部３０の開閉に伴う変形の程度が小さい。したがって、小孔部５３が、罫線部５２において帯状部５１を囲んでいる部分に設けられている構成であれば、罫線部５２の折り曲げの繰り返しに起因した小孔部５３での厚紙の繊維の劣化を好適に抑えることが可能である。これにより、蓋部３０の開けやすさと、収納箱１０の掴みやすさと、罫線部５２の耐久性との向上という、３つの効果を同時に得ることができる。
【００６９】
（５）収納箱１０は、収納対象としてラップフィルム６０を収納するための収納箱１０である。一般的にこうした収納箱１０は、軸方向に延びる直方体形状を有し、収納箱１０のなかで最も長い辺に相当する部分に接続部５０が位置することとなるため、蓋部３０を開ける際に変形させる必要のある罫線部５２の長さが相対的に長く、蓋部３０の開けにくさが顕著になりやすい。したがって、こうした収納箱１０に本実施形態の構成が適用されることによって、蓋部３０を開けやすくする効果が高く得られる。
【００７０】
なお、上記実施形態は、以下のように変更して実施することもできる。
・図９が示すように、接続部５０は、２つの帯状部５１を含んでいてもよい。２つの帯状部５１は、接続部５０が延びる方向（軸方向）に沿って並んでいる。罫線部５２は、各帯状部５１を囲む部分と、２つの帯状部５１の間で２つの帯状部５１の端部間を繋ぐ部分と、収納箱１０における左右方向の端部と帯状部５１の端部とを繋ぐ部分とに配置されている。この場合も、小孔部５３は、罫線部５２が延びる方向における罫線部５２の中央部に位置していることが好ましい。こうした構成によっても、上記（４）に準じた効果が得られる。また、接続部５０は、接続部５０が延びる方向に沿って並ぶ３以上の帯状部５１を含んでいてもよい。
【００７１】
・上記実施形態では、小孔部５３は、罫線部５２が延びる方向における罫線部５２の一部、特に中央部に設けられていたが、小孔部５３は、罫線部５２が延びる方向において罫線部５２の中央部とは異なる部分に設けられていてもよいし、罫線部５２の全幅に設けられていてもよい。こうした構成によっても、蓋部３０を開けるときの抵抗を低減することは可能である。好ましくは、小孔部５３の設けられる領域は、罫線部５２が延びる方向における罫線部５２の端部付近を除いた領域、具体的には、罫線部５２の端から１０ｍｍ以内の領域を除く領域内で選択されるとよい。
【００７２】
・接続部５０が帯状部５１を有さない構成や、罫線部５２が収納箱１０の内側に向かって盛り上がっていない構成であってもよい。蓋部３０が閉じられているときに折り曲げられている部分である罫線部５２が小孔部５３を有する構成であれば、上記（１）の効果は得られる。
【００７３】
・上記実施形態では、収納箱１０はラップフィルム６０を収納するための容器であったが、収納箱１０の収納対象はラップフィルム６０に限定されない。収納箱１０の収納対象の例としては、ラップフィルムやアルミ箔などを含むシート状物品のロールである巻回体が挙げられる。
【符号の説明】
【００７４】
１０…収納箱、２０…本体部、２１…底壁部、２２…周壁部、２３…前壁部、２４…後壁部、２５…右壁部、２６…左壁部、２７…右突起片、２８…左突起片、２９…罫線部、３０…蓋部、３１…上壁部、３２…前副壁部、３３…右副壁部、３４…左副壁部、３５…罫線部、４０…切断刃、５０…接続部、５１…帯状部、５２…罫線部、５３…小孔部、５３ａ…貫通孔、６０…ラップフィルム。
【図１】
2018027808.tif 000003
【図２】
2018027808.tif 000004
【図３】
2018027808.tif 000005
【図４】
2018027808.tif 000006
【図５】
2018027808.tif 000007
【図６】
2018027808.tif 000008
【図７】
2018027808.tif 000009
【図８】
2018027808.tif 000010
【図９】
2018027808.tif 000011